(57)【要約】      （修正有）【課題】ボールがコース上のどの位置にあってもホールインさせるのに有利不利な状況をホールポスト自身に作らせないホールポストを提供する。【解決手段】ホールポスト１００は、底リング部１０と、上リング部２０と、基柱部３０と、底リング連結部４０と、上リング連結部５０とを備える。底リング部１０及び上リング部２０はリング形状をしており、上リング部２０は底リング部１０よりも上方に配置される。基柱部３０は、底リング部１０のリング中心付近から上リング部２０のリング中心付近へ向かって立設された柱状部材である。底リング連結部４０は、底リング部１０のリング中心付近において、底リング部１０と基柱部３０とを連結するものである。上リング連結部５０は、上リング部２０のリング中心付近において、上リング部２０と基柱部３０とを連結するものである。【選択図】図１
0003185850.tif 000002
【実用新案登録請求の範囲】
【請求項１】
リング状の底リング部と、
前記底リング部よりも上方に位置するリング状の上リング部と、
前記底リング部の略リング中心から前記上リング部の略リング中心へ向かって立設された基柱部と、
前記底リング部と前記基柱部とを前記底リング部のリング中心付近において連結する底リング連結部と、
前記上リング部と前記基柱部とを前記上リング部のリング中心付近において連結する上リング連結部と
を備えたことを特徴とするホールポスト。
【請求項２】
前記基柱部は、
棒状の基柱棒部材と、
前記基柱棒部材の側面の全部又は一部を覆う筒形状をしており、筒形状内部上方には、筒形状軸方向に沿って立設された前記基柱棒部材を通す孔がある天板を有する鈴部材と、
前記天板を下方から支持して前記鈴部材を支持する支持部と
を具備し、
前記鈴部材は、前記基柱棒部材の軸線を振動中心とした振動自由な状態で前記支持部に支持されたことを特徴とする請求項１に記載のホールポスト。
【請求項３】
前記底リング連結部は、
前記底リング部の略リング中心に配置され、前記基柱部の一端と連結可能な構造を有する連結部材と、
一端が前記連結部材と連結し、他端が前記底リング部と連結する複数の支持部材と
を具備することを特徴とする請求項１及び請求項２のいずれか一つに記載のホールポスト。
【請求項４】
前記基柱部は、下端部にアンカー差込穴が設けられたことを特徴とする請求項１乃至請求項３のいずれか一つに記載のホールポスト。
【請求項５】
ポールをさらに備え、前記基柱部の上端部と前記ポールの下端部とは、前記ポールの下端部を前記基柱部の上端部に差し込むだけのワンタッチ操作で前記ポールを前記基柱部に連結できる構造であることを特徴とする請求項１乃至請求項４のいずれか一つに記載のホールポスト。
【考案の詳細な説明】
【技術分野】
【０００１】
本考案は、グラウンドゴルフで用いられるホールポストの構造に関するものである。
【背景技術】
【０００２】
従来から用いられているグラウンドゴルフで用いられるホールポストとして、以下に説明するホールポストが挙げられる。そのホールポストは、リング状の外側フレームと、この外側フレームの上方に配置する小径の内側フレームと、これら内外両フレームを等間隔に連結する３本の連結フレームと、上記内側フレームの中央部に設けられたポールを支持する支持板と、前記支持板の下部側に懸吊ボルトを介して吊り下げられた鈴とにより構成されている（例えば、特許文献１参照。）。上記ポールの下端部には、雌ねじが形成されており、雄ねじとしての懸吊ボルトをそこに挿入して鈴が吊り下げられている。
【０００３】
そのホールポストをコース上に設置する場合、外側フレームを２、３本程度のＵ字アンカーにより地面に固定してホールポストをコース上に設置する。グラウンドゴルフにおいては、プレーヤーがボールを打って、リング状の外側フレーム内にボールを静止させるまでの打数を競う。
【先行技術文献】
【特許文献】
【０００４】
【特許文献１】特許第３４３５４８７号
【考案の概要】
【考案が解決しようとする課題】
【０００５】
しかしながら、上記のような従来から用いられているホールポストには、いくつかの問題点がある。問題点の１つ目は、上記説明した３本の連結フレームの存在である。３本の連結フレームは、外側フレーム内へのボールの進入を邪魔することがある。また、通常なら外側フレーム内を通過してしまうような勢いの強いボールであっても、３本の連結フレームがボールの勢いを相殺して、外側フレーム内にボールを静止させてしまうこともある。特に、例えばボールとホールポストの中心を結ぶ直線上に連結フレームが位置するような位置にボールがある場合、そうでない位置にボールがある場合と比べて外側フレーム内へのボールの進入が困難になる。連結フレームがなければ、以上のようなことはなく、より公正なプレー環境をプレーヤーに提供できる。
【０００６】
問題点の２つ目は、従来から用いられているホールポストをコース上に設置する場合、外側フレームの中心を直接固定するのではなく、フレームの任意場所をＵ字アンカーにより固定する。ホールポストを設置する際、通常外側フレームの中心を基準とするため、従来のホールポスト固定方法の場合、外側フレームの中心を正確な位置に合わせて設置する作業が煩雑になる。問題点の３つ目は、従来から用いられているホールポストの鈴は懸吊ボルトを介して吊り下げられているが、鈴にボールが何度も衝突することにより、懸吊ボルトが緩むことが頻繁にある。その都度メンテナンスしないと、鈴の位置が下り、プレーに支障を来すことがある。
【０００７】
そこで、グラウンドゴルフにおいて、より公正なプレー環境をプレーヤーに提供するホールポストを提供することを目的とする。
【課題を解決するための手段】
【０００８】
上記課題を解決するため、本考案のホールポストは、リング状の底リング部と、上記底リング部よりも上方に位置するリング状の上リング部と、上記底リング部の略リング中心から上記上リング部の略リング中心へ向かって立設された基柱部と、上記底リング部と上記基柱部とを上記底リング部のリング中心付近において連結する底リング連結部と、上記上リング部と上記基柱部とを上記上リング部のリング中心付近において連結する上リング連結部とを備えたことを特徴とするものである。これにより、ボールがコース上のどの位置にあってもホールインさせるのにホールポストの構成要素に邪魔させないという作用をもたらす。
【０００９】
また、本考案のホールポストにおいて、上記基柱部は、棒状の基柱棒部材と、上記基柱棒部材の側面の全部又は一部を覆う筒形状をしており、筒形状内部上方には、筒形状軸方向に沿って立設された上記基柱棒部材を通す孔がある天板を有する鈴部材と、上記天板を下方から支持して上記鈴部材を支持する支持部とを具備し、上記鈴部材は、上記基柱棒部材の軸線を振動中心とした振動自由な状態で上記支持部に支持されたことを特徴とする。これにより、懸吊ボルトにおいてボルトが緩むことにより、鈴の位置が下り、プレーに支障を来すという不具合を解消することができる。
【００１０】
また、本考案のホールポストにおいて、上記底リング連結部は、上記底リング部の略リング中心に配置され、上記基柱部の一端と連結可能な構造を有する連結部材と、一端が上記連結部材と連結し、他端が上記底リング部と連結する複数の支持部材とを具備することを特徴とする。これにより、支持部材が底リング部のリング内部で補強材としても機能しているため、底リング部の強度を向上させるという作用をもたらす。
【００１１】
また、本考案のホールポストにおいて、上記基柱部は、下端部にアンカー差込穴が設けられたことを特徴とする。これにより、ホールポストの中心に直接アンカーを設置してホールポストを固定することができるため、ホールポストを正確な位置に設置する作業を容易にさせるという作用をもたらす。
【００１２】
また、本考案のホールポストにおいて、ポールをさらに備え、上記基柱部の上端部と上記ポールの下端部とは、上記ポールの下端部を上記基柱部の上端部に差し込むだけのワンタッチ操作で上記ポールを上記基柱部に連結できる構造を有することを特徴とする。これにより、ホールポストの設置を容易にさせるという作用をもたらす。
【考案の効果】
【００１３】
本考案によれば、ボールがコース上のどの位置にあってもホールインさせるのに有利不利な状況をホールポスト自身に作らせないという優れた効果を奏し得る。すなわち、グラウンドゴルフにおいて公正なプレー環境を確保させることができる。
【図面の簡単な説明】
【００１４】
【図１】本考案の実施の形態におけるホールポスト１００を示す図である。
【図２】本考案の実施の形態におけるホールポスト１００の詳細を示す図である。
【図３】本考案における鈴部材３３が振動する様子を示す図である。
【考案を実施するための形態】
【００１５】
次に本考案の実施の形態について図面を参照して詳細に説明する。
【００１６】
図１は、本考案の実施の形態におけるホールポスト１００を示す図である。ホールポスト１００は、底リング部１０と、上リング部２０と、基柱部３０と、底リング連結部４０と、上リング連結部５０とを備える。
【００１７】
底リング部１０は、リング形状をしており、ホールポスト１００において底面部に配置されるものである。底リング部１０は、例えば金属線材を円形リング形状に形成した部材が一例として想定されるが、これに限るものではない。
【００１８】
上リング部２０は、リング形状をしており、ホールポスト１００において底リング部１０よりも上方に配置されるものである。上リング部２０は、例えば金属線材を円形リング形状に形成した部材が一例として想定されるが、これに限るものではない。また、上リング部２０の円形リングにおける径は、底リング部１０の円形リングにおける径よりも小さくすることが一例として想定される。
【００１９】
基柱部３０は、底リング部１０のリング中心付近から上リング部２０のリング中心付近へ向かって立設された柱状部材である。本考案の実施の形態におけるホールポスト１００における基柱部３０は、複数の部材から構成されており、基柱部３０の詳細については図２において説明する。なお、基柱部３０は、単一の部材により構成させてもよい。
【００２０】
底リング連結部４０は、底リング部１０のリング中心付近において、底リング部１０と基柱部３０とを連結するものである。この際、基柱部３０と底リング部１０のリング構成面とが成す角度は、直角になるようにすることが一例として想定される。すなわち、基柱部３０は、底リング部１０のリング中心付近から、底リング部１０のリング構成面の垂線方向へ立設されるような態様で底リング部１０と連結される。
【００２１】
また、上リング連結部５０は、上リング部２０のリング中心付近において、上リング部２０と基柱部３０とを連結するものである。この際、基柱部３０と上リング部２０のリング構成面とが成す角度は、直角になるようにすることが一例として想定される。すなわち、基柱部３０は、上リング部２０のリング中心付近から上リング部２０のリング構成面の垂線方向へ立設されるように上リング部２０と連結される。
【００２２】
上記底リング連結部４０及び上リング連結部５０の具体的な態様は、図２において説明する。
【００２３】
基柱部３０の上端部は、ポール２００を取り付けることができる構造になっている。ポール２００を取り付けることができる構造とは、例えばポール２００の下端部を基柱部３０の上端部に差し込むだけのワンタッチ操作でポール２００を基柱部３０の上端部に連結・固定できる構造が一例として想定されるが、これに限るものではなく、その他の構造も本発明には含まれる。
【００２４】
以上の本考案の実施の形態におけるホールポスト１００は、従来のホールポストにあるプレーの妨げになる３本の連結フレームの代わりに、ホールポストの中心部にある基柱部３０でホールポストを構成している。このため、本考案の実施の形態におけるホールポスト１００によれば、ボールがコース上のどの位置にあってもホールインさせるのに有利不利な状況をホールポスト自身に作らせないという効果を奏する。
【００２５】
図２は、本考案の実施の形態におけるホールポスト１００の詳細を示す図である。図２（ａ）は、本考案の実施の形態におけるホールポスト１００の分解した状態を示す図である。図２（ｂ）は、本考案の実施の形態におけるホールポスト１００を組み立てた際の断面図である。
【００２６】
ホールポスト１００は、上記説明したように、底リング部１０と、上リング部２０と、基柱部３０と、底リング連結部４０と、上リング連結部５０とを備える。底リング連結部４０は、図２（ａ）に示すように、支持部材４１ａ〜４１ｄと、連結部材４２とで構成されている。
【００２７】
支持部材４１ａ〜４１ｄは、連結部材４２を支持するものである。支持部材４１ａ〜４１ｄの一端は、底リング部１０と連結されている。また、支持部材４１ａ〜４１ｄの他端は、底リング部１０のリング中心に配置される連結部材４２と連結されている。そして、支持部材４１ａ〜４１ｄは、底リング部１０のリング中心から放射状に伸びた態様とすることが一例として想定されるが、これに限るものではなく、その他の態様であってもよい。支持部材４１ａ〜４１ｄとして、板状部材、又は棒状部材、又はこれらに類する部材が一例として想定されるが、これに限るものではなく、その他の態様の部材であってもよい。以上のような構造の底リング連結部４０は、底リング部１０と基柱部３０とを連結するものであるが、同時に底リング部１０の強度を補強する効果も奏する。
【００２８】
なお、上記底リング連結部４０の構造は一例であって、その他の構造であってもよい。すなわち、上記実施の形態の場合、支持部材は４つあったが、これに限るものではなく、支持部材はいくつあってもよい。また、上記実施の形態の場合、各支持部材が等間隔に配置されているが、これに限るものではなく、その他の配置に態様であってもよい。底リング連結部４０の構造は、底リング部１０のリング中心に連結部材４２を配置した際の連結部材４２の支持強度などを考慮して決定される。当該技術分野における当業者が適当と判断する連結部材４２の支持強度が得られる底リング連結部４０の構造は、本考案に全て含まれる。
【００２９】
上リング連結部５０は、図２（ａ）に示すように、支持部材５１ａ〜５１ｄと、連結部材５２とで構成されている。支持部材５１ａ〜５１ｄは、連結部材５２を支持するものである。支持部材５１ａ〜５１ｄの一端は、上リング部２０と連結されている。また、支持部材５１ａ〜５１ｄの他端は、上リング部２０のリング中心に配置される連結部材５２と連結されている。そして、支持部材５１ａ〜５１ｄは、上リング部２０のリング中心から放射状に伸びた態様とすることが一例として想定されるが、これに限るものではなく、その他の態様であってもよい。支持部材５１ａ〜５１ｄは、板状部材、又は棒状部材、又はこれらに類する部材が一例として想定されるが、これに限るものではなく、その他の態様の部材であってもよい。以上のような構造の上リング連結部５０は、上リング部２０と基柱部３０とを連結するものであるが、同時に上リング部２０の強度を補強する効果も奏する。
【００３０】
なお、上記上リング連結部５０の構造は一例であって、その他の構造であってもよい。すなわち、上記実施の形態の場合、支持部材は４つあったが、これに限るものではなく、支持部材はいくつあってもよい。また、上記実施の形態の場合、各支持部材が等間隔に配置されているが、これに限るものではなく、その他の配置に態様であってもよい。上リング連結部５０の構造は、上リング部２０のリング中心に連結部材５２を配置した際の連結部材５２の支持強度などを考慮して決定される。当該技術分野における当業者が適当と判断する連結部材５２の支持強度が得られる上リング連結部５０の構造は、本考案に全て含まれる。
【００３１】
基柱部３０は、基柱棒部材３１と、スペーサ３２と、鈴部材３３と、受けナット３４と、継手部材３５とを備える。基柱棒部材３１は、少なくとも下方部分にアンカー差込穴３１ａが設けられた棒部材である。基柱棒部材３１のアンカー差込穴３１ａには、地面に打ち込んだアンカー３００の突出部分を差し込む。本考案によれば、基柱棒部材３１のアンカー差込穴３１ａをアンカー３００に差し込むだけで、ホールポスト１００に打球が強く当たった際のホールポスト１００の前後左右のずれや、風による倒れを防止できる効果がある。また、本考案によれば、ホールポスト１つにつきアンカー１本で足りるため、ホールポストの設置が容易になるという効果がある。また、通常はホールポストの中心を位置決めの基準とするが、アンカーの位置がホールポストの中心と一致するため、ホールポストを正確な位置に設置することが容易になるという効果もある。
【００３２】
なお、アンカー３００の側面に凸部３１０を設ければ、アンカー３００を引く抜く際に、ホールポスト１００全体を傾けて引き抜けば、凸部３１０が基柱棒部材３１のアンカー差込穴３１ａ側面に引っ掛かり、ホールポスト１００と共にアンカー３００も引き抜ける。なお、凸部をアンカー３００にではなく、基柱棒部材３１のアンカー差込穴側面３１ａに設けた場合も同様である。
【００３３】
また、基柱棒部材３１の下方部分は、連結部材４２に取り付けることができる構造になっている。連結部材４２に取り付けることができる基柱棒部材３１の下方部分の構造とは、例えば、基柱棒部材３１の下方部分を雄ねじ、連結部材４２を雌ねじとした構造や、基柱棒部材３１の下方部分を連結部材４２に差し込むだけのワンタッチ操作で基柱棒部材３１を連結部材４２に連結・固定できる構造が一例として想定されるが、これに限るものではなく、その他の構造も本発明には含まれる。
【００３４】
スペーサ３２は、円筒形状の部材であり、その上端にその円筒形状の外径よりも外径が大きな鍔部３２ａを備えている。そして、スペーサ３２の内径は、基柱棒部材３１の外径とほぼ同じか、又はわずかに大きくなっている。スペーサ３２を基柱棒部材３１の上方から基柱棒部材３１に差し込むと、図２（ｂ）に示すように、スペーサ３２は基柱棒部材３１の周囲を覆う。なお、スペーサ３２は、別個の部材としなくてもよく、基柱棒部材３１と一体形成されたものであってもよい。
【００３５】
鈴部材３３は、ホールポスト１００において鈴の役割を果たすものであり、円筒形状をしている。また、鈴部材３３の円筒内径は、鍔部３２ａの外径より大きくなっている。また、鈴部材３３は、その円筒内部上方に環状の天板３３ａを備えている。天板３３ａの外径は鈴部材３３の円筒内径と同じである。また、天板３３ａの内径は、少なくとも基柱棒部材３１の外径よりも大きい。なお、鈴部材３３の形状は、円筒形状に限るものではなく、例えば、筒形形状など基柱棒部材の側面の全部又は一部を覆う形状であればどのような形状であってもよい。また、天板３３ａには、鈴部材３３の筒形軸方向に沿って立設された基柱棒部材３１を通す孔があればよく、これを満たすものは本考案に含まれる。鈴部材３３をスペーサ３２の上から差し込むと、図２（ｂ）に示すように、鈴部材３３の天板３３ａはスペーサ３２の鍔部３２ａ上に載り、支持される。
【００３６】
なお、スペーサ３２は、基柱棒部材３１の周囲において鈴部材３３を振動自由（図３参照）な状態で支持するためのものである。鈴部材３３が基柱棒部材３１の周囲において振動自由な状態で支持できる構造であれば、スペーサ３２は、上記構造以外の構造であってもよい。すなわち、鈴部材３３を構成する筒形状部分に基柱棒部材３１の側面の全部又は一部を覆わせ、筒形状軸方向に沿って立設された基柱棒部材３１の軸を概ね振動中心とした振動を自由に鈴部材３３にさせることができる態様であれば、鈴部材３３の支持構造は如何なる態様であってもよい。
【００３７】
鈴部材３３の支持構造は以上のように、鈴部材３３よりも下方の部材に支持されているため、鈴部材３３よりも上方の部材の状態に左右されない。また、ホールポスト１００の振動により鈴部材３３の位置が下方に下がることもない。したがって、従来のホールポストの鈴のように鈴より上方にある懸吊ボルトが緩むことにより鈴の位置が下ることがない。このため、グランドゴルフのプレー中に鈴の状態を気にする必要がなく、プレー中の鈴のメンテナンスからプレーヤーを解放させるという効果を奏する。
【００３８】
受けナット３４は、鈴部材３３の天板３３ａより上方に位置し、上リング部２０と、上リング連結部５０とを支持するものである。受けナット３４は、円筒形状のナットであり、その上端に円筒形状の外径よりも大きな外径を有する鍔部３４ａを備えている。また、受けナット３４の円筒内側に形成された雌ねじは、基柱棒部材３１の上方部分に形成された雄ねじと螺合する。受けナット３４を基柱棒部材３１の上方から基柱棒部材３１にねじ込むと、図２（ｂ）に示すように、受けナット３４は、鈴部材３３の天板３３ａより所定距離上方で保持される。
【００３９】
さらに、基柱棒部材３１の上方から上リング部２０と一体となった上リング連結部５０における連結部材５２を基柱棒部材３１に差し込むと、図２（ｂ）に示すように、連結部材５２は、受けナット３４の鍔部３４ａに載る。これにより、上リング部２０と上リング連結部５０とは、受けナット３４に支持された状態になる。
【００４０】
継手部材３５は、基柱棒部材３１の上端部に取り付けることができる構造になっている。基柱棒部材３１の上端部に取り付けることができる継手部材３５の構造とは、例えば、基柱棒部材３１の上端部を雄ねじ、継手部材３５の下方内部を雌ねじとした構造や、基柱棒部材３１の上端部に継手部材３５の下方内部を差し込むだけのワンタッチ操作で継手部材３５を基柱棒部材３１の上端部に固定できる構造が一例として想定されるが、これに限るものではなく、その他の構造も本発明には含まれる。
【００４１】
継手部材３５を基柱棒部材３１の上端部に取り付けることにより、連結部材５２は受けナット３４と継手部材３５との間で挟持される。これにより、上リング部２０は、基柱棒部材３１に連結・固定された状態になる。
【００４２】
また、継手部材３５は、（図示しない）ポール２００を取り付けることができる構造になっている。ポール２００を取り付けることができる継手部材３５の構造とは、例えばポール２００の下端部を継手部材３５に差し込むだけのワンタッチ操作でポール２００を継手部材３５に連結・固定できる構造が一例として想定されるが、これに限るものではなく、その他の構造も本発明には含まれる。また、ポール２００の下端部と継手部材３５との連結構造は、ポール２００の下端部と継手部材３５とを連結させても、ポール２００を軸とした回転は可能な連結構造にすることが好ましい。これにより、強風の中、ホールポスト１００を設置してもポール２００は回転するため、ポール２００にかかる強風による負荷を逃がすことができる。
【００４３】
図３は、本考案における鈴部材３３が振動する様子を示す図である。プレーヤーが打ったボール４００が、例えば基柱部３０に衝突すると、図３（ａ）に示すように、鈴部材３３が傾き、鈴部材３３の下方部分が連結部材４２やスペーサ３２等に衝突して打撃音を奏でる。そして、図３（ｂ）に示すように、鈴部材３３は振動を始めて、鈴部材３３の下方部分が連結部材４２やスペーサ３２等に次々と衝突して、連続して打撃音を奏でる。
【００４４】
なお、本考案の実施の形態は本考案を具現化するための一例を示したものであり、これに限定されるものではなく本考案の要旨を逸脱しない範囲において種々の変形を施すことができる。
【符号の説明】
【００４５】
１０  底リング部
２０  上リング部
３０  基柱部
３１  基柱棒部材
３１ａ  アンカー差込穴
３２  スペーサ
３２ａ、３４ａ  鍔部
３３  鈴部材
３３ａ  天板
３４  受けナット
３５  継手部材
４０  底リング連結部
４１ａ、４１ｂ、４１ｃ、４１ｄ、５１ａ、５１ｂ、５１ｃ、５１ｄ  支持部材
４２、５２  連結部材
５０  上リング連結部
１００  ホールポスト
２００  ポール
３００  アンカー
３１０  凸部
４００  ボール
【図１】
0003185850.tif 000003
【図２】
0003185850.tif 000004
【図３】
0003185850.tif 000005